(57)【要約】【課題】複数のポンプユニットを搭載するために大型の土台を使用することなく複数のポンプユニットを連結でき、さらに吐水口を４面に配置し、据付現場においてどの方向にも吐水できる給水装置を提供するものである。【解決手段】ポンプにより吸水口３から吸水し、送水管で送水し、送水管に接続された吐水管８の吐水口９から吐水するポンプユニットを複数備えた給水装置において、それぞれのポンプユニットの土台２ａ，２ｂどうしが連結固定されて一体化されるとともに、各ポンプユニットの対向する吐水口９どうしが接続管１３により接続されて吐水管８どうし連通している。【選択図】図３
2007040158.tif 000002
【特許請求の範囲】
【請求項１】
ポンプにより吸水口から吸水し、送水管で送水し、送水管に接続された吐水管の吐水口から吐水するポンプユニットを複数備えた給水装置において、
それぞれのポンプユニットの土台どうしが連結固定されて一体化されるとともに、各ポンプユニットの対向する前記吐水口どうしが接続管により接続されて連通していることを特徴とする給水装置。
【請求項２】
それぞれのポンプユニットの４面に吐水口があり、連結固定されて形成された土台の４側面に吐水口が設けられることを特徴とする請求項１記載の給水装置。
【請求項３】
前記それぞれのポンプユニットの送水管に逆流防止弁を設けたことを特徴とする請求項１又は２記載の給水装置。
【発明の詳細な説明】
【技術分野】
【０００１】
本発明は、複数のポンプユニットを備えた給水装置であって、それぞれのポンプユニットの土台を連結固定し、連結された土台の４面に吐水口を形成した給水装置に関する。
【背景技術】
【０００２】
小規模集合住宅の給水装置として、複数台のポンプユニットを連結し、ポンプの保護のために一定時間でポンプを交互に切り替えたり、あるいはポンプの運転中に異常があると待機中のポンプに切り替えたりして対応するものが利用されている（特許文献１参照）。
【０００３】
図５は従来の２台のポンプユニットを結合した結合タイプの給水装置の１例を示す図である。
【０００４】
土台５１は一体に成形された樹脂製で、２台のポンプ５２，５３を搭載できる大型の一体品である。ポンプ５２，５３はステンレス鋳物製で、それぞれステンレス鋳物製の水通路管５４に接続されている。
【０００５】
吸込口５５より吸込まれた水は、水通路管５４を通り、吐水口５７より吐水される。水通路５９方向へは、各ポンプユニットが並列運転する場合は、開放した吐水口から吐水可能だが、他方のポンプをメンテナンスしながら給水する交互運転時は、それぞれのポンプユニット５２，５３への逆流を防ぐ逆流防止弁６０，６１を配置して、吐水口５７のみ吐水可能である。
【特許文献１】特開２００１−１０７８７３号公報
【発明の開示】
【発明が解決しようとする課題】
【０００６】
近年、複数のポンプユニットを配置した土台は、錆防止や軽量化のため、ステンレス鋳物製土台もしくは樹脂製土台が使用され、これらは一体品となっている。
【０００７】
しかしながら、複数のポンプユニットを連結させようとすると、土台はポンプユニットの連結台数に応じて大型にしなくてはならないため、大型の樹脂成形金型と成形機が必要となり、土台製作のための投資費用及び製造コストが膨大となる。
【０００８】
水通路はステンレス鋳物土台の場合と、樹脂製土台の２通りあるが、前者は多方向に枝分かれさせることが鋳造上困難なため、吐水口が１箇所となる。そうなると、据付現場での配管引き回しが必要となり、相当の据付スペースを確保しなければならない。他方、後者はポンプユニットが１台のみの場合には多方向に枝分かれさせることができなくはないが、２台以上のポンプユニットを搭載する大きさの土台となると、水通路が長くなり複雑となるため、樹脂成形が困難であり実現できない。
【０００９】
そこで、本発明は、複数のポンプユニットを搭載するために大型の土台を使用することなく複数のポンプユニットを連結でき、さらに吐水口を４面に配置し、据付現場においてどの方向にも吐水できる給水装置を提供するものである。
【課題を解決するための手段】
【００１０】
本発明の給水装置は、ポンプにより吸水口から吸水し、送水管で送水し、送水管に接続された吐水管の吐水口から吐水するポンプユニットを複数備えた給水装置において、それぞれのポンプユニットの土台どうしが連結固定されて一体化されるとともに、各ポンプユニットの対向する前記吐水口どうしが接続管により接続されて連通している。
【００１１】
前記構成において、それぞれのポンプユニットの４面に吐水口があり、連結固定されて形成された土台の４側面に吐水口を設けることができ、また、それぞれのポンプユニットの送水管に逆流防止弁を設けてもよい。
【発明の効果】
【００１２】
本発明は、複数のポンプユニットを連結した吸水装置を製造する場合、１台のポンプユニットの土台どうしを連結固定して吸水装置全体の土台を形成することで、ポンプユニット連結台数に応じた大型の一体品の土台を用意する必要がないので、土台製作のための投資費用及び製造コストが抑制できる。
【００１３】
また、連結固定された土台の４面に吐水口を形成することにより、据付現場ではどの方向にも吐水できるので、吐水配管の自由度が増すとともに、据付スペースを最小限にとどめることができる。
【００１４】
さらに、ポンプの送水管に逆止弁を設けることにより、一方のポンプのみを運転して給水を行い、他方の休止中のポンプをメンテナンスすることができる交互運転の場合でも、どの吐水口からでも吐水させることができる。
【発明を実施するための最良の形態】
【００１５】
本発明の実施例について図面を参照しながら説明する。
【実施例１】
【００１６】
図１は２台のポンプユニットの土台どうしを連結固定した吸水装置の一実施例を示す斜視図、図２は一台のポンプユニットの斜視図、図３は図１のＡ−Ａ面の平面図、図４は連結前のポンプユニットの土台と水通路を示す斜視図である。
【００１７】
図１に示すように、２台のポンプユニット１ａ，１ｂを連結固定する前のそれぞれのポンプユニット１ａ，１ｂは、一方のポンプユニット１ａが土台２ａにボルト・ナットで固定され、他方のポンプユニット１ｂが土台２ｂにボルト・ナットで固定されている。
【００１８】
ポンプユニット１ａ，１ｂは公知のものであり、例えば、図２に示すように、吸込口３、吸込口３に連通する吸水管４、吸水管４が接続されたポンプ５、ポンプ５の出側に接続された気水分離室６、気水分離室６に接続された送水管７、送水管７に接続された吐水管８、吐水管８の開口の吐水口９を備える。送水管７に接続された吐水管８は十字形に形成され４側面に吐水口９が形成され、吐水しない吐水管は塞ぎ、開放した所定の吐水口９から吐水される。さらに圧力センサ用のアキュムレータ１０及びコントローラ１１を備えている。
【００１９】
図１において、各ポンプユニット１ａ，１ｂの土台２ａ，２ｂは、土台受け１２にボルトにて固定する。それぞれの土台２ａ，２ｂを土台受け１２に固定することにより、土台２ａ，２ｂどうしが連結されて一体化されるので、わざわざ大型の土台を製造する必要がなくなる。
【００２０】
図３及び図４において、各ポンプユニット１ａ，１ｂを連結するに当たり、対向する吐水口９どうしは接続管１３で接続して各ポンプユニット１ａ，１ｂの吐水管８どうしを連通させて水通路を形成する。接続管１３はＯリングでシールし、ボルト１４、ナット１５で固定する。ポンプユニット１ａ，１ｂの吐水管８を連通させることにより、前面及び後面にそれぞれ２つの吐水口９、両側面にそれぞれ１つの吐水口９が配置される。これらの吐水口９のうち、吐水する吐水口９を開け、それ以外は蓋をして塞ぐ。
【００２１】
給水装置の運転・停止の指示はマスターコントローラにて行い、その指示を受けて各ポンプユニット１ａ，１ｂのコントローラ１１がそれぞれのポンプユニット１ａ，１ｂを駆動する。
【００２２】
次ぎに本発明の給水装置の動作について説明する。
【００２３】
吸込口３より吸い込まれた水は、吸水管４を通り、ポンプ５に入る。ポンプ５で加圧された水は気水分離室６に入って空気が分離され、送水管７を通って吐水管８へ流れる。ポンプユニット１ａと１ｂの吐水管８どうしは接続管１３により連通しているので、いずれのポンプポンプユニット１ａ，１ｂが駆動していても開いた吐水口９から吐水される。
【００２４】
本実施例では、２台以上のポンプユニットを連結する場合でも、土台は連結固定させることで形成することができるので、大型の土台を製作する必要がない。したがって、土台の製作のための投資費用とコストを抑制することができる。
【００２５】
また、吐水口が４側面に形成されるので、どの方向にも吐水できるため、吐水配管の自由度が増し、据付現場の据付スペースを最小限にとどめることができる。
【００２６】
また、送水管７に逆流防止弁１８を設けることにより、一方のポンプユニット１ａ（又は１ｂ）のみ運転する場合に、他方の停止しているポンプユニット１ｂ（又は１ａ）の送水管７に吐水管７から逆流することなくすべての吐水口９へ通水することができる。また、給水装置を運転しながら、停止しているポンプユニットのメンテナンスを行うことができる。
【図面の簡単な説明】
【００２７】
【図１】２台のポンプユニットの土台どうしを連結固定した吸水装置の一実施例を示す斜視図である。
【図２】一台のポンプユニットの斜視図である。
【図３】図１のＡ−Ａ面の平面図である。
【図４】連結前のポンプユニットの土台と水通路を示す斜視図である。
【図５】従来の２台のポンプユニットを結合した結合タイプの給水装置の１例を示す図である。
【符号の説明】
【００２８】
１ａ，１ｂ：ポンプユニット
２ａ，２ｂ：土台
３：吸込口
４：吸水管
５：ポンプ
６：気水分離室
７：送水管
８：吐水管
９：吐水口
１０：アキュムレータ
１１：コントローラ
１２：土台受け
１３：接続管
１４：ボルト
１５：ナット
１８：逆流防止弁
５１：土台
５２，５３：ポンプ
５４：水通路管
５５：吸込口
５７：吐水口
５９：水通路管
６０，６１：逆止弁
【図１】
2007040158.tif 000003
【図２】
2007040158.tif 000004
【図３】
2007040158.tif 000005
【図４】
2007040158.tif 000006
【図５】
2007040158.tif 000007